(57)【要約】【課題】ロック解除時における省電力化を図る。【解決手段】液晶表示部９と、液晶表示用バックライト部１０とを有し、画面ロック状態では液晶表示部９と液晶表示用バックライト部１０が消灯している構成において、カメラ部８と、画面ロック状態にてカメラ部８にて撮影された画像に人物の顔画像が含まれている場合に、画面ロック状態を解除するとともに、液晶表示部９と液晶表示用バックライト部１０を点灯させる制御回路部７とを有する。【選択図】図１
2012222612.tif 000002
【特許請求の範囲】
【請求項１】
液晶表示部と、液晶表示用バックライト部とを有し、画面ロック状態では前記液晶表示部及び前記液晶表示用バックライト部が消灯している携帯端末において、
カメラ部と、
前記画面ロック状態にて前記カメラ部にて撮影された画像に所定の画像が含まれている場合に、前記画面ロック状態を解除するとともに、前記液晶表示部及び前記液晶表示用バックライト部を点灯させる制御回路部とを有することを特徴とする携帯端末。
【請求項２】
請求項１に記載の携帯端末において、
前記制御回路部は、前記画面ロック状態にて前記カメラ部にて撮影された画像に人物の顔画像が含まれている場合に、前記画面ロック状態を解除するとともに、前記液晶表示部及び前記液晶表示用バックライト部を点灯させる携帯端末。
【発明の詳細な説明】
【技術分野】
【０００１】
本発明は、携帯電話機等の携帯端末に関し、特に、省電力化技術に関する。
【背景技術】
【０００２】
昨今の携帯電話機は、スマートフォンが主流となりつつあり、キーボタン部を持たず、メイン液晶部が露出しているタッチパネル式のものが増えてきている。このような携帯電話機においては、省電力の観点により、未操作のまま予め設定された時間が経過すると液晶表示と液晶表示用バックライトが消灯する。それと同時にタッチパネル式携帯電話機の誤動作防止として画面操作無効のロック設定が行われる。そのロック設定は、暗証番号を入力したり画面を指でなぞる操作を行ったりすること等によって解除することが可能となっている。タッチパネル式携帯電話機の中には、省電力モード時にロック設定まで必ずしも実効されないものも存在するが、セキュリティの観点上、画面ロックされるべきであり、ロックまで実行されるものが一般的となっている。
【０００３】
ところが、画面ロックは省電力モードと同一のタイミングで実行されるため、１日に何度も同じロック解除の操作をしなければならず、また、ロックを解除する度毎に液晶表示と液晶表示用バックライトが点灯するため、不要な電力を消費して使用時間の低下につながってしまう。
【０００４】
ここで、アプリケーションが起動してから所定の時間が経過した後にカメラを起動させ、カメラによって撮像された画像から顔画像を検出できなかった場合にスリープ状態とすることにより省電力化を図る技術が特許文献１に開示されている。
【先行技術文献】
【特許文献】
【０００５】
【特許文献１】特開２０１０−１０８１３２号公報
【発明の概要】
【発明が解決しようとする課題】
【０００６】
しかしながら、特許文献１に開示された技術においては、アプリケーション起動後の処理であるため、画面ロックを解除する場合は、上記同様に、ロックを解除する度毎に液晶表示と液晶表示用バックライトが点灯することとなり、ロック解除時における省電力化を図ることができないという問題点がある。
【０００７】
本発明は、上述したような技術が有する問題点に鑑みてなされたものであって、ロック解除時における省電力化を図ることができる携帯端末を提供することを目的とする。
【課題を解決するための手段】
【０００８】
上記目的を達成するために本発明は、
液晶表示部と、液晶表示用バックライト部とを有し、画面ロック状態では前記液晶表示部及び前記液晶表示用バックライト部が消灯している携帯端末において、
カメラ部と、
前記画面ロック状態にて前記カメラ部にて撮影された画像に所定の画像が含まれている場合に、前記画面ロック状態を解除するとともに、前記液晶表示部及び前記液晶表示用バックライト部を点灯させる制御回路部とを有することを特徴とする。
【発明の効果】
【０００９】
以上説明したように本発明は、液晶表示部と、液晶表示用バックライト部とを有し、画面ロック状態では液晶表示部及び液晶表示用バックライト部が消灯している構成において、カメラ部と、画面ロック状態にてカメラ部にて撮影された画像に所定の画像が含まれている場合に、画面ロック状態を解除するとともに、液晶表示部及び液晶表示用バックライト部を点灯させる制御回路部とを有する構成としたため、画面ロック解除操作のためだけに液晶表示部及び液晶表示用バックライト部が点灯することがなくなり、それにより、ロック解除時における省電力化を図ることができる。
【図面の簡単な説明】
【００１０】
【図１】本発明の携帯端末の実施の一形態を示すブロック図である。
【図２】図１に示した携帯電話機において省電力モードから画面ロック状態を解除する動作を説明するためのフローチャートである。
【発明を実施するための形態】
【００１１】
以下に、本発明の実施の形態について図面を参照して説明する。
【００１２】
図１は、本発明の携帯端末の実施の一形態を示すブロック図である。
【００１３】
本形態は図１に示すように、情報を表示する液晶表示部９と、液晶表示部９の背面から液晶を照明する液晶表示用バックライト部１０と、撮影を行うカメラ部８と、カメラ部８を起動するための命令を入力するためのキー操作部２と、ＬＥＤの点灯やスピーカー等の音にてユーザーに報知を行う報知部５と、カメラ部８をＯＦＦとする時間や省電力モードに設定するまでの時間を計測するタイマー部３と、液晶表示部９の表示を指で押すことで機器を操作するタッチパネル部４と、顔データ等を格納するとともに、画面ロック開始までの時間を決定する設定状況等を格納するメモリである記憶部６と、キー操作部２における操作の検出、カメラ部８の起動、液晶表示部９及び液晶表示用バックライト部１０の点消灯、報知部５の起動等、ＣＰＵとしての働きや電源制御、画像解析等を行う制御回路部７とから構成されている。
【００１４】
以下に、上記のように構成された携帯電話機１の動作について説明する。
【００１５】
まず、携帯電話機１を省電力モードに設定する動作について説明する。
【００１６】
ユーザーが一定時間、携帯電話機１の操作を行わない場合は、タイマー部３にてカウントを開始し、キー操作部２やタッチパネル部４にて最後に検出した信号からの経過時間を制御回路部７にて計測する。
【００１７】
そして、制御回路部７において、計測された経過時間と記憶部６に格納されている省電力設定時間とを比較し、計測された経過時間が省電力設定時間を越えた場合にカウントを終了し、液晶表示部９と液晶表示用バックライト部１０とを消灯するとともに、誤操作防止のためにタッチパネル部４の操作が行えない画面ロック状態となる省電力モードに設定する。
【００１８】
次に、省電力モードから画面ロック状態を解除する動作について説明する。
【００１９】
図２は、図１に示した携帯電話機１において省電力モードから画面ロック状態を解除する動作を説明するためのフローチャートである。
【００２０】
上述した画面ロック状態となる省電力モードにおいて（ステップ１）、ユーザーがキー操作部２を操作することによって、制御回路部７がキー操作部２からアクティブ信号を検出すると（ステップ２）、まず、制御回路部７が顔画像検出制御を行うためにカメラ部８に対してカメラ起動信号を送信するとともにカメラ電源供給開始制御を行い、それにより、カメラ部８が起動する（ステップ３）。
【００２１】
カメラ部８が起動すると、カメラ部８にて撮影を行い（ステップ４）、カメラ部８にて撮影された画像データを制御回路部７に転送する。この際、液晶表示部９と液晶表示用バックライト部１０が点灯しておらず、ユーザーにはカメラ部８が起動していることがわからないため、例えば、報知部５にてＬＥＤを発光させてカメラ部８にて撮影を行っている旨を知らせる等の動作を行うことが考えられる。
【００２２】
制御回路部７は、カメラ部８から転送されてきた画像データを記憶部６に格納するとともに、カメラ部８から転送されてきた画像データについて顔画像検出処理を行う（ステップ５）。顔画像検出処理は、記憶部６に予め格納された多数の人物の顔画像と顔以外のサンプル画像から、顔の明暗差等により、目や鼻、頬等が備わっているかを識別できるように制御回路部７が予め学習しておき、カメラ部８から転送されてきた画像データに複数の性質が同時に満たされているか否かで、人物の顔画像検出可否を判断することになる。
【００２３】
そして、顔画像検出処理においてカメラ部８にて撮影された画像データが、人物の真正面から撮影した顔画像である等、カメラ部８から転送されてきた画像データに人物の顔画像が含まれていることが検出された場合（ステップ６）、顔画像検出処理が完了したため、制御回路部７はカメラ部８をＯＦＦし（ステップ７）、画面ロック状態を解除するとともに（ステップ８）、液晶表示部９と液晶表示用バックライト部１０とを点灯させる（ステップ９）。
【００２４】
一方、顔の位置がずれて撮影された画像からその一部がはみ出していたり、暗い部屋で撮影したり、鞄等の中でキーボタンが誤操作されていたりした場合等、記憶部６に予め設定された顔検出有効時間内に人物の顔画像が検出されなかった場合は、本処理は中止され、カメラ部８がＯＦＦとなり（ステップ１０）、画面ロック状態が継続されるとともに（ステップ１１）、液晶表示部９と液晶表示用バックライト部１０が消灯のままの状態となる（ステップ１２）。この際、液晶表示部９と液晶表示用バックライト部１０が消灯しているため、顔検出不可によりカメラ部８がＯＦＦになったことをユーザーに報知するために制御回路部７は、報知部５に制御信号を送り、ＬＥＤの消灯・点滅、スピーカーから音を出す等の報知制御を行う。
【００２５】
このように本形態においては、省電力モードである画面ロック状態にてカメラ部８にて撮影された画像に人物の顔画像が含まれている場合に、画面ロック状態を解除するとともに、液晶表示部９と液晶表示用バックライト部１０を点灯させる構成とすることにより、画面ロック解除操作のためだけに液晶表示部９と液晶表示用バックライト部１０が点灯することがなくなり、それにより、ロック解除時における省電力化を図ることができる。その際、従来の液晶表示部９と液晶表示用バックライト部１０を点灯させる場合に比べて消費電力を約３５％削減することができる。また、画面ロック状態を解除する際の、画面をなぞる操作を省くことで、使い勝手を向上させることができる。
【００２６】
なお、本形態においては、カメラ部８にて撮影された画像データの中に人物の顔画像が含まれている場合に画面ロック状態を解除しているが、画面ロック状態を解除するために画像データの中に含まれる画像として設定するものは、人物の顔画像に限らない。
【符号の説明】
【００２７】
１    携帯電話機
２    キー操作部
３    タイマー部
４    タッチパネル部
５    報知部
６    記憶部
７    制御回路部
８    カメラ
９    液晶表示部
１０    液晶表示用バックライト部
【図１】
2012222612.tif 000003
【図２】
2012222612.tif 000004